(57)【特許請求の範囲】
【請求項１】
ボックス本体１に固着される固定ベース２と、基端部を枢軸３によって固定ベース２に枢着された一対のガードアーム４，４とから成り、各ガードアーム４の基端部に枢軸３を中心として設けられた歯車部５は互いに噛合しており、一対のガードアーム４，４は、枢軸３を中心に回転して互いに閉合したとき、扉６の前面側に位置して扉６の開放を制止する一方、枢軸３を中心に逆回転して互いに離開したとき、扉６の前面側位置より退避して扉６の開放を許容するように配置されており、一対のガードアーム４，４を前記閉合位置に拘束する錠前ユニット７を設けてある自動販売機等の扉用ガード装置。
【請求項２】
ガードアーム４が所定位置まで回転したとき弾性力の作用方向が反転し、ガードアーム４を閉合位置または離開位置に回転付勢するトグルジョイント機構８を装備したことを特徴とする請求項１に記載の扉用ガード装置。
【請求項３】
一対のガードアーム４，４を離開位置に回転付勢する付勢部材３７を装備したことを特徴とする請求項１に記載の扉用ガード装置。
【発明の詳細な説明】
【０００１】
【発明が属する技術分野】
本発明は、自動販売機等のボックス本体に対して扉を開放不能に制止するのに使用される扉用ガード装置に関するものである。
【０００２】
【従来の技術】
屋外に設置される自動販売機は、夜間等に盗犯の対象となり易く、盗犯防止のために種々の扉用ロック装置が提案されている。
現在の盗犯の手口としては、電動ドリルで錠前ユニットのロータの鍵孔の周辺部を穿孔し、ロータに組み込まれたピンタンブラー等の錠機構を破壊したり、あるいは鍵孔にねじ込んだビスの頭部に釘抜き用バールを掛け、ロータを錠前ユニットの固定本体から引き抜くことによって錠機構を破壊するといった、暴力的な方法が多くなって来ている。
また、最近では錠前ユニットには手を触れず、ボックス本体の前面と扉の後面との間にバールを差し込み、無理やりに扉を抉じ開けようとする乱暴な盗犯も出現している。
【０００３】
特許第２８５３９９４号公報に開示された自動販売機等の扉用ロック装置では、固定翼板をボックス本体の側面に固着し、軸ピンを固定翼板の軸孔とストッパー翼板の軸孔に挿入してストッパー翼板を固定翼板に連結し、ストッパー翼板内に収納したロック板を固定翼板側の受孔に係合させること、および、ロック板の先端部を軸ピンの錠止受部に係合させて軸ピンの回転阻止断面部がストッパー翼板の軸孔に係合した状態に保持することによって、ストッパー翼板が扉の前面に押し当てられた状態を堅持するようになっており、ボックス本体の前面と扉の背面間にバールを差し込んで無理やりに扉を抉じ開けようとする盗犯に対して強力な阻止力を有する。
【０００４】
しかしながら、この扉用ロック装置では、所定開度まで回転して扉の開放を許容したストッパー翼板は、固定翼板の延長線上にほぼ配置されており、ボックス本体の開口部の前面近傍に突き出た状態にある。
そのため、売上金回収や商品補充に当たるオペレータが、突出状態のストッパー翼板に頭や身体の一部を当てたり、衣服を引っ掛けることがあり、作業の支障となることがある。
【０００５】
【発明が解決しようとする課題】
したがって本発明の目的は、前記した電動ドリルやバールによる暴力的な盗犯に対して有効であるとともに、オペレータの作業の支障となることがない、自動販売機等の扉用ガード装置を提供することである。
本発明の別の目的は、取付位置に制約がなく、自動販売機等の設置状況などに対応して最適の使用態様を選択できる扉用ガード装置を提供することである。
【０００６】
【課題を解決するための手段】
以下、添付図面中の参照符号を用いて説明すると、請求項１の発明の扉用ガード装置は、ボックス本体１に固着される固定ベース２と、基端部を枢軸３によって固定ベース２に枢着された一対のガードアーム４，４とから成り、各ガードアーム４の基端部に枢軸３を中心として設けられた歯車部５は互いに噛合しており、一対のガードアーム４，４は、枢軸３を中心に回転して互いに閉合したとき、扉６の前面側に位置して扉６の開放を制止する一方、枢軸３を中心に逆回転して互いに離開したとき、扉６の前面側位置より退避して扉６の開放を許容するように配置されており、一対のガードアーム４，４を前記閉合位置に拘束する錠前ユニット７を設けてある。
【０００７】
請求項２の発明の扉用ガード装置では、請求項１の発明の前記構成に加えて、ガードアーム４が所定位置まで回転したとき弾性力の作用方向が反転し、ガードアーム４を閉合位置または離開位置に回転付勢するトグルジョイント機構８を装備してある。
【０００８】
請求項３の発明の扉用ガード装置では、請求項１の発明の前記構成に加えて、一対のガードアーム４，４を離開位置に回転付勢する付勢部材３７を装備してある。
【０００９】
【発明の作用】
請求項１の発明の扉用ガード装置では、固定ベース２をボックス本体１の右側壁面に取付けた場合、一対のガードアーム４，４は閉合状態では図１に示したように扉６の右側端部の前面側に配置されている。この扉６の回転中心であるヒンジは扉６の左側端部に装着されている（図示していない）。所定の鍵４０を使用して錠前ユニット７を操作し、一対のガードアーム４，４間の相互拘束を解除すると、下方側のガードアーム４はそれ自体の重力の作用によって、枢軸３を中心として図１において反時計周り方向に回転し、図８に示したように固定ベース２の下側に垂れ下がった位置に移動する。
【００１０】
下方側のガードアーム４の上記運動が歯車部５，５を介して上方側のガードアーム４に伝動されるため、上方側のガードアーム４は枢軸３を中心として図１において時計周り方向に回転し、固定ベース２の上側に立ち上がった位置に移動する。
このように上下一対のガードアーム４，４が扉６の前面側位置からボックス本体１の側壁面に沿って上下に離開した退避位置へ同期して回転移動するため、扉６の開放回転が許容される。
【００１１】
オペレータが売上金回収や商品補充などの作業を終了した後、例えば上方側のガードアーム４の先端部を持って図８において下向き、すなわち反時計周り方向に枢軸３を中心に回転させると、歯車部５，５の伝動作用によって下方側のガードアーム４が、図８において上向き、すなわち時計周り方向に枢軸３を中心に回転し、最終的には図１に示したように上下一対のガードアーム４，４が互いに閉合し、錠前ユニット７によって当該閉合位置に相互に拘束保持される。
【００１２】
請求項２の発明の扉用ガード装置では、図９に示したように固定ベース２をボックス本体１の上側壁面に取付けた場合、左右一対のガードアーム４，４は閉合状態では扉６の上側端部の前面側に配置されており、トグルジョイント機構８の弾性付勢力によって閉合状態に堅固に保持されている。
所定の鍵４０を使用して錠前ユニット７を操作して、ガードアーム４，４の相互拘束を解除した後、例えば右側のガードアーム４の先端部を持ち、それ自体の重力及びトグルジョイント機構８の弾性付勢力に抗しながら、枢軸３を中心として反時計周り方向に回転させる。所定角度まで回転した段階でトグルジョイント機構８の弾性付勢力の作用方向が逆転するため、右側のガードアーム４は水平状態に張り出した位置に勢い良く回転する。
【００１３】
右側のガードアーム４の動きが歯車部５，５を介して左側のガードアーム４に伝えられるため、左側のガードアーム４は、それ自体の重力及びトグルジョイント機構８の弾性付勢力に抗しながら、枢軸３を中心として図９において時計周り方向に回転する。所定角度まで回転した段階でトグルジョイント機構８の弾性付勢力の作用方向が逆転するため、左側のガードアーム４は水平状態に張り出した位置に勢い良く回転する。
このように左右一対のガードアーム４，４が扉６の前面側位置からボックス本体１の上側壁面に沿って左右方向に離開した退避位置へ同期して回転移動するため、扉６の開放回転が許容される。トグルジョイント機構８の弾性付勢力は離開方向に作用しているため、左右一対のガードアーム４，４は退避位置に的確に保持される。
【００１４】
オペレータが売上金回収や商品補充などの作業を終了した後、例えば右側のガードアーム４をトグルジョイント機構８の弾性付勢力に抗しながら、反時計周り方向に枢軸３を中心に回転させると、歯車部５，５の伝動作用によって左側のガードアーム４がトグルジョイント機構８の弾性付勢力に抗しながら、時計周り方向に枢軸３を中心に回転する。所定角度まで回転した段階でトグルジョイント機構８の弾性付勢力の作用方向が逆転するため、左右一対のガードアーム４，４は、トグルジョイント機構８の付勢力とそれ自体に重力の作用によって勢い良く閉合位置に同期復帰する。そして左右一対のガードアーム４，４は錠前ユニット７によって閉合位置に相互に拘束保持される。
なお、請求項２の発明の扉用ガード装置は、請求項１の発明の扉用ガード装置と同様に、ボックス本体１の側壁部に取付けることもできる。
【００１５】
請求項３の発明の扉用ガード装置では、図１０に示したように固定ベース２をボックス本体１の上側壁面に取付けた場合、左右一対のガードアーム４，４は閉合状態では扉６の上側端部の前面側に配置されており、付勢部材３７によって閉合状態に堅固に保持されている。
所定の鍵４０を使用して錠前ユニット７を操作し、ガードアーム４，４の相互拘束を解除すると、錠前ユニット８の本体機構部分を装着していない左側のガードアーム４が、付勢部材３７の付勢力によって枢軸３を中心として時計周り方向に回転し、水平状態に張り出した位置に勢い良く移動する。
【００１６】
左側のガードアーム４の動きが歯車部５，５を介して右側のガードアーム４に伝えられるため、右側のガードアーム４は、付勢部材３７の付勢力によって枢軸３を中心として図１０において反時計周り方向に回転し、水平状態に張り出した位置に勢い良く移動する。
このように左右一対のガードアーム４，４が扉６の前面側位置からボックス本体１の上側壁面に沿って左右に離開した退避位置へ同期して回転移動するため、扉６の開放回転が許容される。付勢部材３７の付勢力は常に離開方向に作用しているため、左右一対のガードアーム４，４は退避位置に的確に保持される。
【００１７】
オペレータが売上金回収や商品補充などの作業を終了した後、例えば右側のガードアーム４を付勢部材３７の付勢力に抗しながら、反時計周り方向に枢軸３を中心に回転させると、歯車部５，５の伝動作用によって左側のガードアーム４が付勢部材３７の付勢力に抗しながら、時計周り方向に枢軸３を中心に回転する。左右一対のガードアーム４，４を閉合位置に同期復帰させた後、錠前ユニット７を操作して閉合位置に相互に拘束保持させる。
なお、請求項３の発明の扉用ガード装置は、請求項１の発明の扉用ガード装置と同様に、ボックス本体１の側壁部に取付けることもできる。
【００１８】
【発明の実施の形態】
図１から図８に示した実施例は請求項１の発明に係るものであり、歯車部５は金属製ガードアーム４の略半円形状基端部の外周部にガードアーム４と一体に形成されている。歯車部５の中心部には金属製の枢軸３が嵌挿される軸孔９を形成してある。歯車部５を含めたガードアーム４の基端部分は、金属製固定ベース２の先端部に形成された割溝部１０に嵌め込まれている。この割溝部１０を画定する内外の側壁部１１，１２には、枢軸３が嵌挿される軸受孔１３，１４を形成してある。固定ベース２には割溝部１０の前記内側の側壁部１１に隣接させて空洞部１５を形成してある。
【００１９】
枢軸３の大径な外側端部３ａは、割溝部１０の前記外側の側壁部１２の外面に当接しており、枢軸３の内端部周面に縮径形成した環状溝１６は、前記空洞部１５内に突出している。固定ベース２の背面側から前記空洞部１５に挿入され、固定ベース２の背面側から螺子孔１７にねじ込まれるビス１８によって固定ベース２に固着される抜け止めプレート１９は、両側縁部が一対の枢軸３，３の前記環状溝１６に入り込むことによって、枢軸３，３が固定ベース２から抜け出るのを制止している。
枢軸３が上記した構造によって固定ベース２に装着されているため、外部から外力を加えてガードアーム４を固定ベース２から取り外し分解することができず、防犯性能が向上する。
【００２０】
図４に示したように歯車部５，５の末端部５ａ，５ａが互いに当接することによって、上下一対のガードアーム４，４は水平に張り出した位置に停止している。この停止機能を補完するために、ストッパーピン２０が前記割溝部１０を貫通してねじ込み固着してある。ガードアーム４の基端部の側縁部には、図４に示したようにストッパーピン２０が係合する切欠部２１を形成してある。
【００２１】
図７に示したように上方側のガードアーム４の先端側部分の側縁部にはＶ字状溝２２が一定長さに形成され、下方側のガードアーム４の先端側部分の側縁部にはＶ字状突起２３が一定長さに形成されている。閉合状態では、これらのＶ字状溝２２とＶ字状突起２３が互いに深く係合するため、一対のガードアームの側縁部を平坦面に形成して単に突き合わせる場合と比較して、閉合面にドライバーなどを差し込まれて抉じ開けられることに対する防護性能が向上する。
【００２２】
錠前ユニット７は、下方側のガードアーム４の正面側凹部２４の中間部に固着された金属製の台座ブロック２５に埋め込み装着されている。この台座ブロック２５は、ガードアーム４の背面側からねじ込まれるビス２６によってガードアーム４に固着されている。錠前ユニット７の施錠ロータ２７の先端部にはラッチ体２８が直接または連動アームレバーを介して間接的に接続されている。圧縮コイルバネ２９によって付勢されたラッチ体２８は、ガードアーム４の背面側開口３０から先端部が出没する。
【００２３】
上方側のガードアーム４の正面側凹部２４の中間部には、ラッチ体２８の先端部が係脱するロック用凹部３１を形成してある。ラッチ体２８の先端部の上面は傾斜カム面３２に形成されており、上方側のガードアーム４が閉合位置に回転するとき、上方側のガードアーム４の側縁部によって傾斜カム面３２が押されることによって、ラッチ体２８は自動的に前記開口３０内に後退する。上下一対のガードアーム４，４が閉合したとき、ラッチ体２８は圧縮コイルバネ２９の付勢によって突出動作し、前記ロック用凹部３１に係合して、上下一対のガードアーム４，４を相互に移動不能に拘束保持する。
【００２４】
図９は請求項２の発明に係る実施例を示すものであり、固定ベース２はボックス本体１の上壁面に固着され、左右一対のガードアーム４，４は閉合状態では扉６の上端部前面に位置することことによって、扉６の開放を制止している。左右一対のガードアーム４，４は退避位置では左右水平方向に離開し、扉６の開放を許容する
トグルジョイント機構８は、枢軸３を跨いで固定ベース２側の軸ピン３３とガードアーム４側の軸ピン３４に各端部が掛けられた引張コイルバネ３５によって構成されている。このトグルジョイント機構８の弾性付勢力の作用方向は、一方の軸ピン３３と枢軸３を結ぶ直線３６を、他方の軸ピン３４が越える瞬間に逆転する。トグルジョイント機構は図示のものに限定されず、公知のものを適宜選択使用することができる。
いずれの実施例においても、固定ベース２は適当なスペーサー４１を介してボックス本体１の内側からボルトによって締付け固着される。また、ボックス本体１に溶接によって固着することもできる。
【００２５】
図１０は請求項３の発明に係る実施例を示すものであり、固定ベース２はボックス本体１の上壁面に固着され、左右一対のガードアーム４，４は閉合状態では扉６の上端部前面に位置することことによって、扉６の開放を制止している。左右一対のガードアーム４，４は退避位置では左右水平方向に離開し、扉６の開放を許容する
付勢部材３７は、固定ベース２側の軸ピン３８とガードアーム４側の軸ピン３９に各端部が掛けられた引張コイルバネによって構成されている。付勢部材３７は板バネ等によて構成することもできる。
【００２６】
【発明の効果】
上記のように構成された請求項１の発明の扉用ガード装置では、一対のガードアーム４，４は枢軸３を中心に回転して互いに閉合したとき、扉６の前面側に位置し、錠前ユニット７によってこの閉合位置に堅持されるものであるから、ボックス本体１の前面と扉６の背面間にバールを差し込んで無理やりに扉６を抉じ開けようとする盗犯に対して強力な防護性能を有する。
扉６をボックス本体１に対して施錠するロックハンドル装置の施錠ロータなどの主要部を閉合状態のガードアーム４，４によって被覆するように配置すれば、電動ドリルによる暴力破壊に対しても大きな防護性能を発揮することになる。
【００２７】
また、一対のガードアーム４，４は枢軸３を中心に逆回転して互いに離開したとき、扉６の前面側位置より退避するのであるが、この退避位置においてはガードアーム４はボックス本体１の側壁面に沿って配置されており、ボックス本体１の開口部の前面側に突出することがないため、売上金回収や商品補充に従事するオペレータが、頭や身体の一部をガードアーム４に当てたり、衣服をガードアームに引っ掛けることがなく、各種の作業はガードアームから支障を受けることなくスムーズに行える。
【００２８】
上記のように構成された請求項２の発明の扉用ガード装置では、一対のガードアーム４，４はトグルジョイント機構８によって離開位置に堅持されるため、退避位置に移動させたガードアーム４が作業中に閉合位置へみだりに戻ることがなく、各種作業を円滑に進めることができる。
また、このようにトグルジョイント機構８によるガードアーム４の拘束が的確に行われるため、扉用ガード装置は、一対のガードアーム４，４が上下に離開する態様、すなわち固定ベース２をボックス本体１の側壁面に固着する態様だけでなく、一対のガードアーム４，４が左右に離開する態様、すなわち固定ベース２をボックス本体１の上壁面に固着する態様でも使用することができ、自動販売機等の設置形態に応じて最適の使用態様を選択することができる。
【００２９】
上記のように構成された請求項３の発明の扉用ガード装置では、一対のガードアーム４，４は付勢部材３７によって離開位置に堅持されるため、退避位置に移動させたガードアーム４が作業中に閉合位置へみだりに戻ることがなく、各種作業を円滑に進めることができる。
また、このように付勢部材３７によるガードアーム４の拘束が的確に行われるため、扉用ガード装置は、一対のガードアーム４，４が上下に離開する態様、すなわち固定ベース２をボックス本体１の側壁面に固着する態様だけでなく、一対のガードアーム４，４が左右に離開する態様、すなわち固定ベース２をボックス本体１の上壁面に固着する態様でも使用することができ、自動販売機等の設置形態に応じて最適の使用態様を選択することができる。
【図面の簡単な説明】
【図１】本発明の一実施例に係る扉用ガード装置を装着した自動販売機の要部正面図であり、扉は閉鎖状態に拘束されている。
【図２】図１の自動販売機の要部平面図である。
【図３】図１の自動販売機の要部右側面図である。
【図４】図２のＡ−Ａ線断面図である。
【図５】図２のＢ−Ｂ線断面図である。
【図６】図５のＣ−Ｃ線断面図である。
【図７】図１のＤ−Ｄ線断面図である。
【図８】ガードアームが離開位置にあるときの図４に対応した断面図である。
【図９】本発明の別の実施例に係る扉用ガード装置を装着した自動販売機の要部正面図であり、扉は閉鎖状態に拘束されている。
【図１０】本発明の他の実施例に係る扉用ガード装置を装着した自動販売機の要部正面図であり、扉は閉鎖状態に拘束されている。
【符号の説明】
１  ボックス本体
２  固定ベース
３  枢軸
４  ガードアーム
５  歯車部
６  扉
７  錠前ユニット
８  トグルジョイント機構
【図１】
0003602517.tif 000002
【図２】
0003602517.tif 000003
【図３】
0003602517.tif 000004
【図４】
0003602517.tif 000005
【図５】
0003602517.tif 000006
【図６】
0003602517.tif 000007
【図７】
0003602517.tif 000008
【図８】
0003602517.tif 000009
【図９】
0003602517.tif 000010
【図１０】
0003602517.tif 000011